【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】  
【請求項１】  第１の部品の表面から突出する凸部と、第２の部品の表面に設けられる凹部とを嵌合させて、第１の部品と第２の部品とを位置決めして組立てるための組立用位置決め構造であって、
第１の部品の表面から突出する凸部は、
該表面に位置し、突出方向に垂直な断面形状が扁平で、厚さに比較して幅が大きい基部と、
該基部から該突出方向の先端側に延びるように形成され、幅が該基部よりも小さく、かつ該凸部の先端部に向かって細い形状の端部とを有し、
第２の部品の表面に設けられる凹部は、
凸部の基部が嵌合可能で、嵌合状態で該基部の幅と厚さの少なくとも一部とを規制して位置決めする位置決め部と、
該位置決め部に連なるように形成され、該凸部の先細状の端部が挿入可能で、該端部を挿入すると該基部を該位置決め部に案内することが可能な案内部とを有することを特徴とする組立用位置決め構造。
【手続補正２】
【補正対象書類名】明細書
【補正対象項目名】００１３
【補正方法】変更
【補正の内容】
【００１３】
また、前記第１の部品は、板状の素材をプレス加工して形成され、
前記凸部は、該素材を部分的に切り起して形成されることとしてもよい。
【手続補正３】
【補正対象書類名】明細書
【補正対象項目名】００１４
【補正方法】変更
【補正の内容】
【００１４】
板状の素材をプレス加工で部分的に切り起して凸部を形成し、凸部の先細状の端部を凹部の案内部に容易に挿入し、凸部の基部を凹部の位置決め部に嵌合させて、精度良く位置決めを行うことができる。
【手続補正４】
【補正対象書類名】明細書
【補正対象項目名】００１５
【補正方法】変更
【補正の内容】
【００１５】
また、前記第２の部品の凹部は、少なくとも前記位置決め部で貫通していることとしてもよい。
【手続補正５】
【補正対象書類名】明細書
【補正対象項目名】００１６
【補正方法】変更
【補正の内容】
【００１６】
第２の部品の凹部が少なくとも位置決め部で貫通しているので、第１の部品の凸部の端部の突出量が大きくても、端部は位置決め部を突抜けて凸部の基部を位置決め部に容易に案内することができる。
【手続補正６】
【補正対象書類名】明細書
【補正対象項目名】００１７
【補正方法】変更
【補正の内容】
【００１７】
また、前記凹部の位置決め部は、前記凸部の基部の前記断面形状に対応するように開口し、
該凹部の案内部は、該開口の中間に設けられ、該開口を前記厚さ方向に拡大する形状を有することとしてもよい。
【手続補正７】
【補正対象書類名】明細書
【補正対象項目名】００１８
【補正方法】変更
【補正の内容】
【００１８】
第２の部品の表面で開口している幅方向の中間が案内部として機能し、案内部に第１の部品の凸部の端部を挿入すれば、開口している幅方向の両端側の位置決め部に凸部の基部が嵌合するように案内することができる。
【手続補正８】
【補正対象書類名】明細書
【補正対象項目名】００１９
【補正方法】変更
【補正の内容】
【００１９】
また、前記凹部の位置決め部は、前記凸部の基部の前記断面形状に対応するように開口し、
該凹部の案内部は、該開口の幅方向の中間で前記厚さ方向への拡大量が大きく、該幅方向の両端では該厚さ方向への拡大がないように、該幅方向の全体にわたって形成されることとしてもよい。
【手続補正９】
【補正対象書類名】明細書
【補正対象項目名】００２０
【補正方法】変更
【補正の内容】
【００２０】
第２の部品の表面で開口している幅方向の全体が案内部として機能し、案内部に第１の部品の凸部の端部を挿入すれば、開口している幅方向の両端が位置決め部として機能して凸部の基部を嵌合させることができる。
【手続補正１０】
【補正対象書類名】明細書
【補正対象項目名】００２１
【補正方法】変更
【補正の内容】
【００２１】
また、前記案内部は、前記幅方向に沿って前記厚さ方向が曲線状に拡大することとしてもよい。
【手続補正１１】
【補正対象書類名】明細書
【補正対象項目名】００２２
【補正方法】変更
【補正の内容】
【００２２】
案内部の形状を、円弧や楕円弧などの曲線状にすることができ、スリットと円や楕円とを組合わせて凹部を形成することができる。
【手続補正１２】
【補正対象書類名】明細書
【補正対象項目名】００２３
【補正方法】変更
【補正の内容】
【００２３】
また、前記案内部は、前記幅方向に沿って前記厚さ方向が直線状に拡大することとしてもよい。
【手続補正１３】
【補正対象書類名】明細書
【補正対象項目名】００２４
【補正方法】変更
【補正の内容】
【００２４】
案内部の形状を、直線状にすることができ、スリットと角孔とを組合わせて凹部を形成することができる。
【手続補正１４】
【補正対象書類名】明細書
【補正対象項目名】００２５
【補正方法】変更
【補正の内容】
【００２５】
また、前記案内部は、非貫通の陥没形状を有することとしてもよい。
案内部は非貫通の陥没形状を有するので、たとえばプレス加工で角孔と球絞りとを組合わせて形成することができる。第１の部品の凸部の端部が陥没形状内に挿入されると、陥没形状の表面と当接して、位置決め部に案内され、続いて凸部の基部も位置決め部に案内することができる。案内部が非貫通であるので、凹部の強度を高めることができる。
【手続補正１５】
【補正対象書類名】明細書
【補正対象項目名】００２６
【補正方法】変更
【補正の内容】
【００２６】
また、前記第２の部品は、板状の素材をプレス加工して形成され、
前記凹部は、該素材を部分的に打ち抜いて形成され、
該凹部の位置決め部は、曲げ加工によって成形されることとしてもよい。
【手続補正１６】
【補正対象書類名】明細書
【補正対象項目名】００２７
【補正方法】変更
【補正の内容】
【００２７】
第２の部品に対するプレス加工の打抜きと曲げで、凹部とその位置決め部とを形成することができる。
【手続補正１７】
【補正対象書類名】明細書
【補正対象項目名】００４０
【補正方法】変更
【補正の内容】
【００４０】
また、板状の素材をプレス加工で部分的に切り起して凸部を形成し、先細状の端部を凹部の案内部に容易に挿入し、基部を凹部の位置決め部に嵌合させて、精度良く位置決めを行うことができる。
【手続補正１８】
【補正対象書類名】明細書
【補正対象項目名】００４１
【補正方法】変更
【補正の内容】
【００４１】
また、第１の部品の凸部の端部の突出量が大きくても、端部は位置決め部を貫通して凸部の基部を位置決め部に容易に案内することができる。
【手続補正１９】
【補正対象書類名】明細書
【補正対象項目名】００４２
【補正方法】変更
【補正の内容】
【００４２】
また、第２の部品の表面で開口している幅方向の中間に第１の部品の凸部の端部を挿入すれば、開口している幅方向の両端側に凸部の基部が嵌合して精度良く位置決めを行うことができる。
【手続補正２０】
【補正対象書類名】明細書
【補正対象項目名】００４３
【補正方法】変更
【補正の内容】
【００４３】
また、第２の部品の表面で開口している幅方向のほぼ全体を案内部として、第１の部品の凸部の端部を容易に挿入することができ、幅方向の両端で凸部の基部を位置決めすることができる。
【手続補正２１】
【補正対象書類名】明細書
【補正対象項目名】００４４
【補正方法】変更
【補正の内容】
【００４４】
また、たとえばスリットと円や楕円とを組合わせて凹部を形成することができる。
【手続補正２２】
【補正対象書類名】明細書
【補正対象項目名】００４５
【補正方法】変更
【補正の内容】
【００４５】
また、たとえばスリットと角孔とを組合わせて凹部を形成することができる。
【手続補正２３】
【補正対象書類名】明細書
【補正対象項目名】００４６
【補正方法】変更
【補正の内容】
【００４６】
また、たとえばプレス加工で角孔と球絞りとを組合わせて凹部を形成し、案内部が非貫通であるので、凹部の強度を高めることができる。
【手続補正２４】
【補正対象書類名】明細書
【補正対象項目名】００４７
【補正方法】変更
【補正の内容】
【００４７】
また、プレス加工の打抜きと曲げで、凹部とその位置決め部とを形成することができる。